(57)【要約】  喫煙品用パッケージは外方シェルを含み、この外方シェルは互いに対向する大きなフロントパネル及び大きなバックパネルと、互いに対向する二つの小さなサイドパネルと、互いに対向する第１端部および第２端部とを含む。またパッケージは内部トレイを含み、この内部トレイは外方シェル内に配置され、外方シェルの第１端部および第２端部の間の軸に沿って摺動可能である。この内部トレイは、パッケージが完全に閉じた状態において、外方シェルの大きなバックパネルに隣接し、かつ、これと平行な基部と、外方シェルの第１端部に隣接する底縁部とを含む。外方シェルの第１端部は、そこから内部トレイが出ることを防ぐように構成されており、第２端部は、そこから内部トレイが出ることができるように開口している。このパッケージは予め定められた制限を超えて内部トレイが外方シェルの第２端部から引き出されないように停止機構を含む。外方シェルは消費者が第２端部を介して外方シェルから内部トレイを押し出すことができるように開口部を含む。【選択図】図１
2012517385.tif 000002
【特許請求の範囲】
【請求項１】
互いに対向する大きなフロントパネルと大きなバックパネルと、二つの互いに対向する小さなサイドパネルと、互いに対向する第１端部と第２端部とを含む外方シェルと、
外方シェル内に配置され、第１端部および第２端部の間の軸に沿って摺動可能であり、パッケージが完全に閉じた状態において、外方シェルの大きなバックパネルと隣接し、かつ、これに平行な基部と、外方シェルの第１端部に隣接する底縁部とを含む内部トレイと、
を含む喫煙品用パッケージであって、
前記外方シェルの前記第１端部が、この第１端部を介して外方シェルから内部トレイが出ることを防ぐように構成され、前記第２端部が、この第２端部を介して外方シェルから内部トレイが出ることができるように開口しており、
前記パッケージが、内部トレイが外方シェルの第２端部から、あらかじめ定められた制限を超えて引き出されることを防ぐ停止機構を含み、かつ
前記外方シェルが、停止機構によって停止するまで第２端部を介して外方シェルから内部トレイを消費者が押し出すことができるような開口部を含むことを特徴とする喫煙品用パッケージ。  
【請求項２】
前記開口部が、少なくとも外方シェルの大きなバックパネルに配置されていることを特徴とすることを特徴とする請求項１記載のパッケージ。
【請求項３】
前記開口部が、少なくとも外方シェルの閉じられた第１端部に配置されていることを特徴とすることを特徴とする請求項１または２に記載のパッケージ。
【請求項４】
前記開口部が一縁部を曲がって上方へと大きなバックパネルの途中まで延び、前記予め定められた制限まで、内部トレイが外方シェルから引き出された状態において、内部トレイの底縁部は、大きなバックパネルの途中まで上がった部分にある開口部の縁部と実質的に一致することを特徴とする請求項３記載のパッケージ。
【請求項５】
前記停止機構が、内部トレイの外方への動きを制限するために、外方シェルの少なくとも１つのパネルに装着された少なくとも１つの内方に折れ曲がった唇部を含むことを特徴とする請求項１乃至４いずれか１項記載のパッケージ。
【請求項６】
内部トレイが外方シェルから前記あらかじめ定められた制限まで引き出された際に、前記内方に折れ曲がった唇部が、内部トレイの一部を形成するカバーパネルに対して当接する外方シェルの大きなフロントパネルに装着されていることを特徴とする請求項５記載のパッケージ。
【請求項７】
カバーパネルが内部トレイの基部に連結され、喫煙品を受けるためのポケットを形成することを特徴とする請求項６記載のパッケージ。
【請求項８】
パッケージが閉じている状態において、前記開口部が内部トレイの底縁部を露出させ、消費者が底縁部を押すことにより外方シェルから内部トレイを動かすことができることを特徴とする請求項１乃至７いずれか１項記載のパッケージ。
【請求項９】
パッケージが閉じている状態において、前記開口部により露出されている内部トレイの基部の表面がテクスチャード加工されていることを特徴とする請求項１乃至８いずれか１項記載のパッケージ。
【請求項１０】
前記内部トレイが第１および第２パネルを含むトップカバー部をさらに含み、前記第１パネルが、基部の前記底縁部と反対側の端部から延びており、第２パネルは第１パネルから延び、前記トップカバー部は、パッケージが閉じている状態において、パッケージ内にある喫煙品を包んでいることを特徴とする請求項１乃至９いずれか１項記載のパッケージ。
【請求項１１】
パッケージが閉じている状態において、前記第２パネルが底縁部の方向へ外方シェルの内側に折れ曲がり、第２パネルは外方シェルから内部トレイを摺動することのみにより折れ曲がっていない状態となることを特徴とする請求項１０記載のパッケージ。
【請求項１２】
喫煙品を収容する請求項１乃至１１いずれか１項記載のパッケージ。
【請求項１３】
請求項１乃至１２いずれか１項記載のパッケージを形成する１つ以上のブランクセット。
【請求項１４】
２つのブランクを含み、第１ブランクは外方シェルを供し、第２ブランクは内部トレイを供することを特徴とする請求項９記載のブランクセット。
【請求項１５】
添付の図面を参照し本明細書中で説明した喫煙品用パッケージ。
【請求項１６】
図９Ａおよび図９Ｂを参照し本明細書中で説明したブランクセット。
【請求項１７】
前記ブランクが１枚のシート材を含み、そのシート材が、大きなフロントパネル部分を形成する第１パネルと、内部トレイのための停止機構を供するため、内方に折り曲げられる第１パネルの側面に沿って延びた第２パネルと、大きなフロントパネル部分の対向する側部に沿って延び、折り曲げ線によってこれら対向する側部との境界が定められたサイドパネル部分と、大きなバックパネル部分と、これら大きなパネル部分の間で折り曲げ線によって境界が定められた底端部部分と、組み立てた際、外方シェル内で内部トレイを摺動させて内容物を手にすることができるように底端部部分および大きなバックパネル部分の少なくともどちらか１つに開口部を含むことを特徴とする請求項１乃至１３いずれか１項記載のパッケージの外方シェルを形成するためのブランク。
【請求項１８】
大きなフロントパネル部分の対向する側部に位置し、折り曲げ線によってこれら側部との境界が定められた周辺サイドパネル部分を含み、これら周辺サイドパネル部分と大きなフロント面のパネル部分とが位置合わせされて湾曲した縁部を有する外方シェルの前記側部パネルを供することを特徴とする請求項１７記載のブランク。
【請求項１９】
請求項１乃至１３いずれか１項記載のパッケージの内部トレイを形成するためのブランクであって、このブランクは１枚のシート材を含み、このシート材は、トレイの基部を形成する１つのパネル部分と、トレイのサイドパネルを形成するために折り曲げ線を介してこの基部パネル部分に接合した対向する周辺パネル部分と、基部パネル部分に折り曲げ線によって接合された底部パネル部分と、この底部パネルと折り曲げ線によって接合し、かつ基部パネル部分よりも短いカバー部分とを含むブランク。
【請求項２０】
請求項１９に記載のブランクを含む請求項１７記載のブランク。
【請求項２１】
請求項１記載のパッケージを形成するための請求項２０記載のブランクを折り畳むことを含むことを特徴とするパッケージの製造方法。
【発明の詳細な説明】
【技術分野】
【０００１】
本発明は、紙巻きタバコのような喫煙品用のパッケージに関する。特に、本発明は喫煙品用のスライドシェル式パッケージに関する。
【背景技術】
【０００２】
外方シェルと内部スライドを有する紙巻きタバコ用のパッケージはよく知られており、例えば下記の特許文献に記載されている。これらのいくつかのパッケージは、外方シェルの一端が開口している。内部スライドの中身、通常は紙巻きタバコは、外方シェルの開口部から指をいれて、内部スライドを押し、外方シェルの開口端から内部トレイを出すことにより、手にすることができる。外方シェルから内部トレイが突出している状態において、内部トレイから紙巻きタバコを取り出すことができる。
既存のパッケージの多くは、内部スライドを外方シェル内での動きを制限するための停止機構も含む。このような停止機構は、内部スライドが外方シェルから完全に外れないようにするためのものである。
【先行技術文献】
【特許文献】
【０００３】
【特許文献１】英国特許第１６６８６１号
【特許文献２】英国特許第２１１５３８６号
【特許文献３】米国特許第５，０８０，２２７号
【特許文献４】国際公開第２００４／０２４５９５号
【特許文献５】国際公開第２００５／０９０１７２号
【特許文献６】国際公開第２００４／０６３０３２号
【特許文献７】国際公開第２００７／０６５５１４号
【発明の概要】
【発明が解決しようとする課題】
【０００４】
本発明の目的は、従来のものよりもより使いやすく、および／またはより頑丈なシェルとスライドの組み合わせを提供することにある。
【０００５】
本発明の一態様では喫煙品用パッケージを提供し、このパッケージは外方シェルと内部トレイとを含み、この外方シェルは互いに対向する大きなフロントパネル及び大きなバックパネルと、二つの互いに対向する小さなサイドパネルと、互いに対向する第１端部と第２端部とを含み、この内部トレイは外方シェル内に配置され、第１端部および第２端部の間の軸に沿って摺動可能である。内部トレイは、外方シェルの大きなバックパネルと隣接し、かつ、これに平行な基部と、パッケージが完全に閉じた状態において、外方シェルの第１端部に隣接する底縁部を含む。外方シェルの第１端部は閉じており、第１端部を介して内部トレイが外方シェルから出ることを防ぎ、第２端部は開口しており、第２端部を介して内部トレイが外方シェルから出るようにしている。パッケージは、予め定められた制限を超えて、外方シェルの第２端部から内部トレイが完全に引き出されないようするための停止機構を含む。外方シェルは開口部を含み、その開口部は閉じた第１端部に配置され、その一縁部から曲がって上方へと大きなバックパネルの途中まで延びている。この開口部によって、使用者は外方シェルから内部トレイを第２端部を介して押しげることができる。この予め定められた制限まで、内部トレイが外方シェルから引き出された状態において、内部トレイの底縁部は、大きなバックパネルの途中まで上がった部分にある開口部の縁部と実質的に一致するように構成してもよい。パッケージが閉じている状態において、開口部は通常、内部トレイの底縁部（少なくとも底面部）を露出させる。すなわち、これにより、使用者は、外方シェルから内部トレイを移動させるために、底縁部（および／または底面）を押すことができる。このことは、内部トレイ自体の基部を押してパッケージを開けるより通常容易である（何故なら基部は内部トレイが動く方向と平行であるからである）。
【０００６】
さらに、開口部は外方シェルの大きなバックパネルの上まで延びているので、内部トレイの底縁部および底面を（予め定められた制限に到達するまで）押すために、直接触れることができる。すなわち、内部スライドを動かすために喫煙品用パッケージの中に指を奥まで延ばす必要はない。
【０００７】
外方シェルの大きなバックパネルに沿った開口部の長さは、内部トレイが外方シェル内で予め定められた制限までスライドできる距離とほぼ同じ（あるいは僅かに短い）である。これにより、使用者がパッケージを開ける動作は、予め定められた制限のところあるいは少し手前で終了するので、停止機構にかかるストレスは軽減される。
【０００８】
ある１つのの態様において、停止機構は、外方シェルの大きなフロントパネルに装着された内方に折れ曲がった唇部と、内部トレイの基部を越えて延びたカバーパネルとを含む。カバーパネルは、内部トレイの基部に装着され、この基部には対向する側壁と端壁によって、喫煙品を受けるためのポケットが形成されている。カバーパネルは外方シェルから内部トレイが予め定められた制限を超えて引き出される時、内部に折れ曲がった唇部と当接する。この停止機構は、製造することが比較的容易であり、パッケージの基本デザインの変更がほとんどなく（あったとしてもほんのわずか）、例えば、大きなフロントパネルにおける内方に折れ曲がった唇部も、美的および摩耗の観点からも設置してもよい。
【０００９】
ある１つのの態様において、パッケージを閉じた状態における開口部によって露出する内部トレイの基部の表面は、テクスチャード加工されている。このテクスチャード加工によって、使用者は基部を押して外方シェルから内部トレイをよりスライドしやすくなる。テクスチャード加工は、エンボス加工、デボーシング加工（debossing）、粗面加工、あるいはその他の好適な方法によって形成してもよい。
【００１０】
ある１つのの態様において、内部トレイはさらにトップカバー部を含み、そのトップカバー部は第１パネルと第２パネルとを含む。第１パネルは、基部の前述の底縁部と反対側の端部から延びており、第２パネルは第１パネルから延びている。トップカバー部は、パッケージが閉じている状態において、パッケージ内にある喫煙物品を包んでいる。パッケージが閉じている状態において、第１パネルは、パッケージの頂端部として機能する一方で、第２パネルは、底縁の方向へ外方シェルの内部へと折り返されている。第２パネルは、第１パネルより大きく、よって第２パネルは、外方シェルから内部トレイをスライドさせて出した際に、閉じた位置から折り曲げられていない状態となる。これにより、パッケージが偶然に開くことを防ぐ。ある１つのの態様において、内部トレイ内に保持されている喫煙物品に触れられるようにトップカバー部を離すことができるようになる前に、内部トレイは、予め定められた制限まで外方シェルから引っ張りだされる。
【００１１】
ある１つの態様において、従来のヒンジ式蓋付きパッケージと比較すると、このパッケージは（正面から背面までの奥行きに関して）相対的に薄い。ここで留意すべきは、このような薄いパッケージにおいて外方シェルと内部トレイの組み合わせは有用であるという点である。何故なら、反対に、とても薄い従来のヒンジ式蓋付きパッケージは、蓋を開ける際に問題が生じる可能性があるからである。
【００１２】
本発明の別の態様においては、このようなパッケージを作製するためのブランクセットを提供する。
【図面の簡単な説明】
【００１３】
あくまでの例示のみを目的とし、以下の図面を参照し本発明の態様を説明する。
【００１４】
【図１】本発明の１つの態様によるスライドシェル式パッケージの閉じた状態の後面斜視図である。
【図２】図１のパッケージの外方シェルの後面斜視図である。
【図３】図１のパッケージの外方シェルの別の斜視図である。
【図４】内部トレイが閉じた状態の図１のパッケージの内部トレイの後面斜視図である。
【図５】カバーフラップが閉じた状態の図１のパッケージの内部トレイの前面斜視図である。
【図６】カバーフラップが開いた状態の図１のパッケージの内部トレイの前面斜視図である。
【図７】内部トレイが外方シェルから引き出され、かつ内部トレイが閉じた状態の図１のパッケージの後面斜視図である。
【図８】内部トレイが外方シェルから引き出され、かつ内部トレイが開いた状態の図１のパッケージの前面斜視図である。
【図９Ａ】図１、２、３、７および８に図示されたパッケージの外方シェルの作製に適したブランクを示す。
【図９Ｂ】図１、４、５、６、７および８に図示されたパッケージの内部トレイの作製に適したブランクを示す。
【００１５】
図１は本発明の１つの態様による喫煙品用のスライドシェル式パッケージ１の斜視図である。図１ではパッケージ１を後ろから見ている。パッケージ１は、図２および図３にそれぞれ示した外方シェル３と、図４、図５および図６でそれぞれ示した内部トレイ５とを含む。紙巻きタバコなどの喫煙品は内部トレイ５に収容される。
【００１６】
図１、２および３が示すように、この外方シェル３は通常矩形であり、大きなフロントパネル２と、大きなバックパネル４と、二つの互いに対向する小さなサイドパネル６、８とを含む。外方シェル３は、さらに底端部パネル１０を含む。外方シェル３の頂端部（底端部パネル１０の反対側）は開口しており、外方シェル３から内部トレイ５を引き出すことができる。
【００１７】
図示の態様において、外方シェル３の後部縁およびこれに対応する内部トレイ５の縁部は、角張っているのに対して、外方シェル３の前部縁およびこれに対応する内部トレイ５の縁部は湾曲している。当然のことながら、その他の態様において、外方シェル３と内部トレイ５の縁部は、例えば、丸みをおびた、角張った、あるいは面取りされた等、いずれの好適な形状をしていてもよい。
【００１８】
外方シェル３の開口部１２は底端部パネル１０の中央から、底端部パネル１０と大きなバックパネル４が合わさる縁部の方へと延びている。開口部は、この縁部で曲がって大きなバックパネルの途中まで上方に延びている。開口部１２は、内部トレイ５を（図１で示すように）露出させる。露出された領域によって、消費者は、外方シェル３の開口端から内部トレイが突出するように内部トレイ５に圧力をかけ押すことができる。
【００１９】
図示した態様において、開口部１２は大きなバックパネル４と底部パネルの幅方向（対向するサイドパネル６，８の間）の中央で約三分の一を占める。長さ方向においては、開口部１２は、底端部パネル１０の、大きなフロントパネル２の縁部と大きなパックパネル４の縁部の間のほぼ真ん中の位置から始まる。開口部１２は、大きなパックパネル（端部パネル１０から開口端まで）のおよそ４０％上に上がったところで終わる。当然のことながらその他の態様においては、別の寸法や間隔であってもよい。
【００２０】
図２に示す態様において、外方シェル３は、フロントパネル２の内方に折れ曲がった唇部１４も含む。内方に折れ曲がった唇部１４は、外方シェル３から内部トレイが完全に引き出されることを防ぐ役割をする。内方に折れ曲がった唇部１４と内部トレイ５の相互作用については、図８を参照して後述する。
【００２１】
図４、５および６が示すように、内部トレイ５は、実質的に矩形であり、基部７と、基部７に対して垂直な二つの互いに対向するサイドパネル９、１１とを含む。内部トレイが外方シェル３に差し込まれている時、基部７は、外方シェルの大きなバックパネル４に隣接し、かつこれに平行であり、その一方で、内部トレイの対向するサイドパネル９と１１は、外方シェルの対向するサイドパネル６と８に、それぞれ隣接し、かつこれらに平行である。
【００２２】
内部トレイ５は、基部７に装着された端部パネル１５と、端部パネル１５に装着されたカバーフラップ１７とを含む第１カバー部分をさらに含む。第１カバー部分は組み立てられたパッケージが閉じている状態において（図１が示すように、内部トレイ５が外方シェルの中にある時）、蓋の役割を果たす。
【００２３】
パッケージが閉じている状態において、端部パネル１５は（図５が示すとおり）基部７に対して垂直である。カバーフラップ１７は端部パネル１５に対して垂直であり、かつ、基部７の内部へ平行に折り曲げられる（かつ、外方シェル３の大きなフロントパネル２に平行で隣接している）。この構成では、端部パネル１５は内部トレイ５の内部とともに外方シェル３の開口端部を閉じるために、これを覆う役割を果たす。カバーフラップ１７は端部パネル１５の閉じた状態を維持する。特に、カバーフラップ１７は、端部パネル１５よりも相当長いので、内部トレイ５が外部シェルから上方にスライドしない限り、カバーフラップ１７は外方シェル３から引き出すことはできない（大きなフロントパネル２を露出できない）。したがって、カバーフラップ１７は、端部パネル１５が閉じた状態の位置のままに留め、これにより紙巻きタバコあるいはその他の喫煙品はパッケージ１内に留まることになる。
【００２４】
内部トレイ５が外方シェル３より（不完全に）引き出されている状態において、カバーフラップ１７は外方シェルの大きなフロントパネル２から露出される。カバーフラップ１７と端部パネル１５は、例えば図６に示すように、基部７、端部パネル１５およびカバーフラップ１７が全て同一面に位置するように基部７から離れるように回転させてもよい。これにより、消費者は、内部トレイ５から紙巻きタバコあるいはその他の商品を取り出すことができる。
【００２５】
内部トレイ５はさらに第２カバー部分を含む。第２カバー部分は、パッケージが閉じている際、外方シェル３の底端部パネル１０と隣接し、かつこれに平行である底端部パネル２１を含む。第２カバー部分は互いに対向するサイドパネル２５、２７をさらに含み、これらはサイドパネル９および１１とそれぞれ重なり、接着されている。
【００２６】
第２カバー部分はさらにカバーパネル２３を含み、これは互いに対向するサイドパネル２５、２７を跨いで、そしてさらに底端部パネル２１へ下方に延びている。カバーパネル２３は基部７（底端部パネル２１からカバー端部パネル１５の方向へ）の高さのちょうど半分を超えたところまで延びている。カバーパネル２３は、パッケージ１が閉じている際、外方容器３の大きなフロントパネル２に平行であり、かつこれに隣接する。基部７、カバーパネル２３、サイドパネル２５、２７および端部パネル２１は、紙巻きタバコあるいは他の内容物を収容するためのポケットを内部トレイ５の底部に形成する。
【００２７】
図４に示す態様において、基部７の下面（すなわち、パッケージが閉じている際、外方容器３のバックパネル４に面する側）は稜線が浮き彫りになっているテクスチャード加工された領域２９を含む。パッケージが閉じている際、テクスチャード加工領域２９は（図１に示すように）開口部１２と一致する。テクスチャード加工領域２９は、消費者が外方シェル３から内部スライド５を押し出しやすくするために、押し出される基部７に対してよりよいグリップ（摩擦）を供する。
【００２８】
開口部１２が底端部パネル１０にまで延びていることもまた、外方シェル３から内部スライド５を押し出しやすくしている。つまり、パッケージを開けるため、消費者は内部トレイ５の底端部パネル２１を直接押すことができる。このことは使用者にとって通常便利で効果的である。というのは、底端部パネル２１は引き出す方向に対して（基部７に対して平行というよりは）垂直であるためである。よって、消費者は外方容器から内部トレイをスライドすることによって、労力を要せずにパッケージを開けることができる。
【００２９】
図７および図８は、内部スライドが外方シェルから不完全に引き出された状態のパッケージをそれぞれ背面および前面から見た図である。これらの図において、外方容器３から最大の許容される程度まで内部トレイ５が引き出されると、パッケージが完全に開いた状態になる（図７および図８では、外方シェル３内に残っている内部トレイ５の部分が破線で示されていて、パッケージ１が開いている状態における外方シェル３に対しての内部トレイ５の位置を図示している）。
【００３０】
内部トレイ５が外方シェル３の開口端から出ると、上述のとおり、第１カバー部分のカバーフラップ１７を持ち上げることによりパッケージ１内の内容物に触れることができる。図７は、閉じた位置にまだあるカバーフラップ１７を示し、図８は、開いた位置にあるカバーフラップ１７を示す。
【００３１】
図７および図８に示すとおり、カバーパネル２３の上縁部が内方に折れ曲がった唇部１４の下縁部に当接している時、内部トレイは外方容器から完全に引き出される。この構成が停止機構として作用し、内部トレイ５が外方シェル３からさらに引き出されないようにする。従って停止機構によって、内部トレイは外方シェル３から完全に外れることはない。
【００３２】
開いている位置においてもまた、内部トレイ５の底端部、特に底端部パネル２１は開口部１２の頂部、即ち外方シェルの底端部パネル１０から最も遠い開口部の部分とほぼ一致する。従って、これはパッケージを押して開けるための元来の限界を意味する。例えば、指で開口部１２を介して内部トレイ５の底端部パネル２１を上方へ押す場合、その指は、開口部１２の（頂）端部を形成するバックパネル４の部分に接触することになる。すなわち、バックパネル４に沿った開口部１２の長さは、停止機構（唇部１４およびカバーパネル２３）が係合するまで外方容器３内で内部トレイ５がスライドする距離にほぼ一致する。この構成により、停止機構に反して使用者が容易に押すことができない、より頑丈なパッケージを製造できる。また停止機構および開口部１２の縁部は共に、外方容器に対する内部トレイの移動を制限する働きをする。これは停止機構を磨耗および／または損傷から保護することに役立つ。
【００３３】
パッケージを閉じる際、カバーフラップ１７の部分は内容物を覆うように折り曲げられ、そして、内部トレイは端面パネル１５などの頂端部から押され、図１に示す内部トレイが閉じた位置に戻る。この動作において、外方シェル３の閉じた端部は内部トレイ５の動きを制限するストッパーとしての働きをする。特に、閉じた位置においては外方シェル３の底端部パネル１０に対して内部トレイの底端部パネル２１が当接する。
【００３４】
図７および図８において、外方シェル３から内部トレイ５が完全に引き出されることを防ぐ１つの特定の停止機構を示したが、当業者であれば停止機構のその他の可能な構成を想起することができるであろう。例えば、内方に折れ曲がった唇部を、フロントパネル２とは異なる外方シェル３のパネルに設置したり、および／または複数の内方に折れ曲がった唇部とそれに対応する複数の停止部材を停止機構に使ったりしてもよい。とはいうものの、唇部がちょうどフロントパネル２上にあることは、内部トレイの収容物に触れる方向と一致するという利点がある（そして外方容器と内部トレイの両方ともパッケージの正面においてこの方向にさらに延びていない）。１つの可能性として、一枚のカードあるいは同類のものを、内部トレイ５の外側のパネルのひとつに固定し、内方に折れ曲がった唇部あるいは外方容器３の内部にある他の構造と係合することができる。
【００３５】
図９Ａは、本発明の一態様による図１、２、３、７および８に示した外方シェル３を作製するためのブランク３０を示す。ブランク３０は外方シェル３の大きなフロントパネル２を形成する第１パネル３１を含む。第１パネル３１はその頂縁部において、外方シェル３の内方に折れ曲がった唇部１４を形成する第２パネル３２にミシン目の折り曲げ線Ｆ１を介して接合し、その底縁部において外方シェル３の閉じた端部にあたる底端部パネル１０を形成する第３パネル３３にミシン目の折り曲げ線Ｆ２を介して接合する。第３パネル３３はその底縁部において、外方シェル３の大きな背面パネル４を形成する第４パネル３４にミシン目の折り曲げ線Ｆ３を介して接合する。第４パネル３４はその底縁部において、外方シェル３に第２の内方に折れ曲がった唇部を形成する第５（延長）パネル３５にミシン目の折り曲げ線Ｆ４を介して接合する。（この第２唇部は、停止機構というよりはむしろ、パッケージをスムーズに折り曲げる役割を果たす。）折り曲げ線Ｆ１、Ｆ２、Ｆ３およびＦ４はお互いに平行である。孔または開口部１２がブランク３０を切り抜きして形成されている。開口部１２は第３パネル３３から折り曲げ線Ｆ３をまたいでブランク３０の第４パネル３４まで延びている。
【００３６】
第４パネル３４は第６パネル３６とミシン目の折り曲げ線Ｆ５を介して接合し、第７パネル３７とミシン目の折り曲げ線Ｆ６を介して接合する。折り曲げ線Ｆ５は折り曲げ線Ｆ６と平行である。第６パネル３６と第７パネル３７は外方シェル３の互いに対向するサイドパネル８および６をそれぞれ形成する。第８パネル３８は第６パネル３６とミシン目の折り曲げ線Ｆ７を介して、第９パネル３９は第７パネル３７とミシン目の折り曲げ線Ｆ８を介して、それぞれ接合する。組み立てられたパッケージにおいて、第８パネル３８と第９パネル３９は、第３パネル３３（外方シェル３の底端部パネル１０）とそれぞれ重なり、それによって、外方シェル３のサイドパネル６、８は外方シェル３の底端部パネル１０（閉じた端部）へ容易に装着される。第１０パネル４０と第１１パネル４１は、ミシン目で形成された領域Ｓ１、Ｓ２を介してそれぞれ第１パネル３１の対向した側面に接合する。組み立てられた外方シェル３において、ミシン目領域Ｓ１およびＳ２はそれぞれ、外方シェル３の正面の丸みをおびた縁部を形成する。第１０パネル４０と第１１パネル４１は、外方シェル３の互いに対向するサイドパネル８、６を形成する。具体的には、組み立てられた外方シェル３において、第１０パネル４０は第６パネル３６と重なり、第１１パネル４１は第７パネル３７と重なり、外方シェル３の対向するサイドパネル８および６をそれぞれ形成する。
【００３７】
図９Ｂは、本発明の一態様による図１、４、５、６、７および８に示した内部トレイ５を作製するためのブランク５０を示す。ブランク５０は内部トレイ５の第１カバー部分のカバーフラップ１７を形成する第１パネル５１を含む。第１パネル５１はその底縁部に沿ってミシン目の折り曲げ線Ｆ１０を介して内部トレイ５の第１カバー部分の頂端部パネル１５を形成する第２パネル５２と接合する。第２パネル５２は、ミシン目の折り曲げ線Ｆ１２を介して内部トレイ５の基部７を形成する第３パネル５３と接合する。第３パネル５３は、ミシン目の折り曲げ線Ｆ１３を介して第２カバー部分の底端部パネル２１を形成する第４パネル５４と接合する。第４パネル５４は、ミシン目の折り曲げ線Ｆ１４を介して内部トレイ５の第２カバー部分のカバーパネル２３を形成する第５パネル５５と接合する。折り曲げ線Ｆ１０、Ｆ１２、Ｆ１３およびＦ１４は互いに平行である。
【００３８】
第３パネル５３は第６パネル５６とミシン目の折り曲げ線Ｆ１５を介して接合し、第７パネル５７とミシン目の折り曲げ線Ｆ１６を介して接合する。折り曲げ線Ｆ１５は折り曲げ線Ｆ１６と平行である。第６パネル５６と第７パネル５７は内部トレイ５の対向するサイドパネル１１および９をそれぞれ形成する。第８パネル５８は第６パネル５６とミシン目の折り曲げ線Ｆ１７を介して、第９パネル５９は第７パネル５７とミシン目の折り曲げ線Ｆ１８を介してそれぞれ接合する。第８パネル５８と第９パネル５９は、第４パネル５４（内部トレイ５の底端部パネル２１に対応）の内部とそれぞれ重なり、それによって、内部トレイ５のサイドパネル１１、９は内部トレイ５の第２カバー部分の底端部パネルへ容易に、例えば接着剤によって装着される。
【００３９】
第１０パネル６０と第１１パネル６１は、ミシン目で形成された領域Ｓ１１、Ｓ１２を介してそれぞれ第５パネル５５に接合している。第１０パネル６０と第１１パネル６１は、内部トレイ５の互いに対向するサイドパネル２７、２５をそれぞれ形成する。ミシン目領域Ｓ１１およびＳ１２はそれぞれ、内部トレイ５の第２カバー部分の正面の丸みをおびた縁部を形成する。組み立てられた内部トレイ５において、第１０パネル６０は第６パネル５６と重なり、第１１パネル６１は第７パネル６７と重なり、内部トレイの底部に設けられたポケットの互いに対向するサイドパネル２７および２５をそれぞれ形成する。
【００４０】
第３パネル５３は、第４パネル５４の近くにあるテクスチャード加工された領域２９を含む。テクスチャード加工領域２９は、図１が示す組み立てられたパッケージ１において、開口部１２を介して露出される接触領域（a tactile region）を形成する。当然のことながら、テクスチャード加工領域２９は、指もしくは親指と、内部トレイ５の基部７との間の接触を改良するために、エンボス加工、デボーシング加工（debossing）、表面の剥離加工（delaminating the surface）などのいかなる好適な方法によって作製されてもよい。
【００４１】
ある１つの態様において、本明細書に記載されたパッケージは、従来のヒンジ式蓋付きパッケージと比較して相対的に薄い。例えば、外方シェルの寸法はおよそ下記のとおりである。
長さ（頂部から底部まで）：８６ｍｍ
幅（ひとつのサイドパネルからもうひとつのサイドパネルまで）：５９ｍｍ
奥行き（正面から背面まで）：１２ｍｍ
このように薄い、すなわち奥行きが狭いパッケージを、ヒンジ式蓋付きパッケージ作製のための伝統的な方法で作製することは、蓋を開けにくくする可能性があるため、相対的に難しい。
【００４２】
当業者は、上述の態様に様々な変形を想起し得るはずであり、本発明は薄型の紙巻きタバコパッケージに関する具体例で説明してきたが、例えば標準的な方形の角部を有する、２０ｍｍ、１０ｍｍあるいはその他のサイズのパッケージのような、紙巻きタバコおよび同様の喫煙品のための、すべての通常のパッケージやカートンの構成の態様として適用できる。本明細書で使われているパッケージはカートンの意味も含まれる。
【００４３】
さらに、内部トレイのカバー部分と連携している大きなフロントパネルに装着されている内方に折れ曲がった唇部１４が停止機構の態様として記載されているが、これらの特徴は、停止機構を設けるために、パッケージのひとつ以上の他のパネルに適用できる。例えば、内方に折れ曲がった唇部は、内部トレイ部分に当接する一つ以上の小さなサイドパネル６、８に設けてもよい。
【００４４】
内部トレイの構成もまた、パッケージが開くと容易にパッケージ内の紙巻きタバコが露出するよう、カバーフラップをより短くする改良が可能である。そのうえさらに、カバーパネル２３の長さは短くすることができ、それにより、停止機構により止められる前に外方シェルから突出することが可能なように内部トレイの長さを延伸できる。
【００４５】
さらに、開口部は第２パネルと大きなバックパネルの両方にわたって延びている必要はなく、これらのパネルのどちらかのみに設けることが可能である。
【００４６】
したがって、本発明の権利範囲は、添付の請求項およびそれに同等のものにより規定される。
【図１】
2012517385.tif 000003
【図２】
2012517385.tif 000004
【図３】
2012517385.tif 000005
【図４】
2012517385.tif 000006
【図５】
2012517385.tif 000007
【図６】
2012517385.tif 000008
【図７】
2012517385.tif 000009
【図８】
2012517385.tif 000010
【図９ａ】
2012517385.tif 000011
【図９ｂ】
2012517385.tif 000012
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
互いに対向する大きなフロントパネルと大きなバックパネルと、二つの互いに対向する小さなサイドパネルと、互いに対向する第１端部と第２端部とを含む外方シェルと、
外方シェル内に配置され、第１端部および第２端部の間の軸に沿って摺動可能であり、パッケージが完全に閉じた状態において、外方シェルの大きなバックパネルと隣接し、かつ、これに平行な基部と、外方シェルの第１端部に隣接する底縁部とを含む内部トレイと、
を含む喫煙品用パッケージであって、
前記外方シェルの前記第１端部が、この第１端部を介して外方シェルから内部トレイが出ることを防ぐように構成され、前記第２端部が、この第２端部を介して外方シェルから内部トレイが出ることができるように開口しており、
前記パッケージが、内部トレイが外方シェルの第２端部から、あらかじめ定められた制限を超えて引き出されることを防ぐ停止機構を含み、かつ
前記外方シェルが、停止機構によって停止するまで第２端部を介して外方シェルから内部トレイを消費者が押し出すことができるような開口部を含み、前記開口部が、少なくとも外方シェルの大きなバックパネルおよび外方シェルの閉じられた第１端部に配置されていることを特徴とする喫煙品用パッケージ。  
【請求項２】
前記開口部が一縁部を曲がって上方へと大きなバックパネルの途中まで延び、前記予め定められた制限まで、内部トレイが外方シェルから引き出された状態において、内部トレイの底縁部は、大きなバックパネルの途中まで上がった部分にある開口部の縁部と実質的に一致することを特徴とする請求項１記載のパッケージ。
【請求項３】
前記停止機構が、内部トレイの外方への動きを制限するために、外方シェルの少なくとも１つのパネルに装着された少なくとも１つの内方に折れ曲がった唇部を含むことを特徴とする請求項１または２記載のパッケージ。
【請求項４】
内部トレイが外方シェルから前記あらかじめ定められた制限まで引き出された際に、前記内方に折れ曲がった唇部が、内部トレイの一部を形成するカバーパネルに対して当接する外方シェルの大きなフロントパネルに装着されていることを特徴とする請求項３記載のパッケージ。
【請求項５】
カバーパネルが内部トレイの基部に連結され、喫煙品を受けるためのポケットを形成することを特徴とする請求項４記載のパッケージ。
【請求項６】
パッケージが閉じている状態において、前記開口部が内部トレイの底縁部を露出させ、消費者が底縁部を押すことにより外方シェルから内部トレイを動かすことができることを特徴とする請求項１乃至５いずれか１項記載のパッケージ。
【請求項７】
パッケージが閉じている状態において、前記開口部により露出されている内部トレイの基部の表面がテクスチャード加工されていることを特徴とする請求項１乃至６いずれか１項記載のパッケージ。
【請求項８】
前記内部トレイが第１および第２パネルを含むトップカバー部をさらに含み、前記第１パネルが、基部の前記底縁部と反対側の端部から延びており、第２パネルは第１パネルから延び、前記トップカバー部は、パッケージが閉じている状態において、パッケージ内にある喫煙品を包んでいることを特徴とする請求項１乃至７いずれか１項記載のパッケージ。
【請求項９】
パッケージが閉じている状態において、前記第２パネルが底縁部の方向へ外方シェルの内側に折れ曲がり、第２パネルは外方シェルから内部トレイを摺動することのみにより折れ曲がっていない状態となることを特徴とする請求項８記載のパッケージ。
【請求項１０】
喫煙品を収容する請求項１乃至９いずれか１項記載のパッケージ。
【請求項１１】
請求項１乃至１０いずれか１項記載のパッケージを形成するひとつ以上のブランクセット。
【請求項１２】
２つのブランクを含み、第１ブランクは外方シェルを供し、第２ブランクは内部トレイを供することを特徴とする請求項９記載のブランクセット。
【請求項１３】
前記ブランクが１枚のシート材を含み、そのシート材が、大きなフロントパネル部分を形成する第１パネルと、内部トレイのための停止機構を供するため、内方に折り曲げられる第１パネルの側面に沿って延びた第２パネルと、大きなフロントパネル部分の対向する側部に沿って延び、折り曲げ線によってこれら対向する側部との境界が定められたサイドパネル部分と、大きなバックパネル部分と、これら大きなパネル部分の間で折り曲げ線によって境界が定められた底端部部分と、組み立てた際、外方シェル内で内部トレイを摺動させて内容物を手にすることができるように底端部部分および大きなバックパネル部分の少なくともどちらか１つに開口部を含むことを特徴とする請求項１乃至１２いずれか１項記載のパッケージの外方シェルを形成するブランク。
【請求項１４】
大きなフロントパネル部分の対向する側部に位置し、折り曲げ線によってこれら側部との境界が定められた周辺サイドパネル部分を含み、これら周辺サイドパネル部分と大きなフロント面のパネル部分とが位置合わせされて湾曲した縁部を有する外方シェルの前記側部パネルを供することを特徴とする請求項１３記載のブランク。
【請求項１５】
請求項１乃至１２いずれか１項記載のパッケージの内部トレイを形成するためのブランクであって、このブランクは１枚のシート材を含み、このシート材は、トレイの基部を形成する１つのパネル部分と、トレイのサイドパネルを形成するために折り曲げ線を介してこの基部パネル部分に接合した対向する周辺パネル部分と、基部パネル部分に折り曲げ線によって接合された底部パネル部分と、この底部パネルと折り曲げ線によって接合し、かつ基部パネル部分よりも短いカバー部分とを含むブランク。
【請求項１６】
請求項１５に記載のブランクを含む請求項１３記載のブランク。
【請求項１７】
請求項１記載のパッケージを形成するための請求項１６記載のブランクを折り畳むことを含むことを特徴とするパッケージの製造方法。
【国際調査報告】
2012517385.tif 000013
2012517385.tif 000014
2012517385.tif 000015
2012517385.tif 000016
2012517385.tif 000017
2012517385.tif 000018